(57)【要約】  先細本体（１０）と末端部（１１）とを含む可撓性の塗布ヘッド（９）を含む、化粧品用の塗布具。先細本体は末端部より短く、末端部は一様な断面を有する。
2019524214.tif 000002
【特許請求の範囲】
【請求項１】
ユーザの手に保持されるのに適した支持体（７、８）と、前記支持体（７、８）によって支持された塗布ヘッド（９）とを備え、
前記塗布ヘッド（９）は可撓性であると共に、化粧品を使用者の体の一部に塗布するのに適しており、
前記塗布ヘッド（９）は先細本体（１０）と塗布本体（１１）とを含み、
前記先細本体（１０）は前記支持体（７、８）に固定された第１の端部から第２の端部まで収束しながら第１の長さ（Ｌ１）にわたって延在し、
前記塗布本体（１１）は前記先細本体の前記第２の端部から遠位端まで延びる第２の長さ（Ｌ２）にわたって前記先細本体の前記第２の端部を延長しており、
前記塗布本体（１１）は、前記先細本体の前記第２の端部から前記前記塗布本体の前記遠位端まで均一な断面を有し、
前記第２の長さ（Ｌ２）は前記第１の長さより大きく、
前記塗布本体（１１）は、０．５ｍｍ〜５ｍｍ、有利には０．５ｍｍ〜１ｍｍの幅（Ｄ２）を有する、化粧品用の塗布具。
【請求項２】
前記第２の長さ（Ｌ２）は前記第１の長さ（Ｌ１）の１．２倍より大きい、請求項１に記載の塗布具。
【請求項３】
前記第２の長さ（Ｌ２）は前記第１の長さ（Ｌ１）の２．４倍未満である、請求項１又は２に記載の塗布具。
【請求項４】
前記第１の長さ（Ｌ１）は、２〜８ｍｍ、特に約５ｍｍからなる、請求項１〜３の何れか一項に記載の塗布具。
【請求項５】
塗布本体（１１）の断面は、０．５ｍｍ〜５ｍｍの範囲、有利には０．５ｍｍ〜１ｍｍの範囲の外径（Ｄ２）を有する、請求項１〜４の何れか一項に記載の塗布具。
【請求項６】
塗布ヘッド（９）は熱可塑性エラストマー材料でできている、請求項１〜５の何れか一項に記載の塗布具。
【請求項７】
液体化粧品（３）を収容するのに適したリザーバ（２）を更に備え、
前記支持体（７、８）が前記塗布ヘッド（９）を前記化粧品に浸すために前記リザーバ（２）に挿入するのに適したロッド（７）を有する、請求項１〜６の何れか一項に記載の塗布具。
【請求項８】
前記リザーバ（２）は前記液体化粧品（３）を構成するアイライナーを含む、請求項７に記載の塗布具。
【請求項９】
化粧品、特にアイライナーを塗布するための、請求項１〜４の何れか一項に記載の塗布具（１）の使用。
【発明の詳細な説明】
【技術分野】
【０００１】
本発明は化粧品用の塗布具に関する。
【背景技術】
【０００２】
米国特許第６０３３１４３号には、この種の塗布具の一例が記載されている。
【発明の概要】
【発明が解決しようとする課題】
【０００３】
本発明は、上記のタイプの塗布具の利便性、塗布精度、および塗布の容易さを改善することを目的としている。
【課題を解決するための手段】
【０００４】
より具体的には、本発明は、使用者の手に保持されるのに適した支持体と、支持体によって支持された塗布ヘッドとを含む化粧品用塗布具に関する。塗布ヘッドは柔軟性があり、化粧品をユーザの体の一部に塗布するのに適している。前記塗布ヘッドは、先細本体と塗布本体とを含む。先細本体は支持体に固定された第１の端部から第２の端部まで収束しながら第１の長さにわたって延び、先細本体は先細本体の第２の端部から遠位端まで延びる第２の長さにわたって先細本体の第２の端部を延長する。塗布本体は、先細本体の第２の端部から前記塗布本体の遠位端まで均一な断面を有し、第２の長さ（Ｌ２）は第１の長さより大きい。
【０００５】
上記の目的のために、本発明によれば、本発明のような塗布具は、塗布本体が０．５ｍｍと５ｍｍとの間、有利には０．５ｍｍと１ｍｍとの間に含まれる幅を有することを特徴とする。
【０００６】
これらの特徴により、製品塗布は特に正確です。塗布本体の幅が小さいため、塗布本体は特に柔軟になり、まぶたへの塗布が非常に簡単になります。さらに、先細本体が塗布ヘッドの塗布本体より短いので、使用者が支持体に及ぼす塗布力を正確に判断する必要なしに、塗布は主に塗布本体によって行われる。塗布本体は一様な断面であるので、塗布は一定幅の正確な線に沿って行われる。化粧品がアイライナーであるとき、塗布本体は、塗布中に、塗布を容易にするために着用者の睫毛の縁によって案内され得る尾部を形成する。
【０００７】
本発明による装置の様々な実施形態では、以下の構成のうちの１つまたは複数を使用することができる。
−  第２の長さが第１の長さの１．２倍より大きい。
−    第２の長さは第１長さの２．４倍未満です。
−  第１の長さは、２〜８ｍｍ、特に約５ｍｍである。
−  塗布本体の断面は、０．５ｍｍから５ｍｍ、有利には０．５ｍｍから１ｍｍの範囲の外径を有する。
−  塗布ヘッドは熱可塑性エラストマー材料でできている。
−  塗布具は、液体化粧品（実際の液体状、粘性の、クリーム状からペースト状までの、例えばマスカラまたはアイライナー調合物と同様の粘度を有する多少の粘性の調合物）を収容するのに適したリザーバをさらに含む。支持体は塗布ヘッドを化粧品に浸すためにリザーバに挿入するのに適したロッドを有する。
−  リザーバはアイライナーを含み、液体化粧品を構成する。
【０００８】
また、本発明は化粧品、特にアイライナーを塗布するための上に定義されたような塗布具の使用に関する。
【０００９】
本発明の他の特徴および利点は、添付の図面を参照しながら、非限定的な例として与えられる、その実施形態のうちの１つの以下の説明から明らかになるであろう。
【図面の簡単な説明】
【００１０】
【図１】本発明の第１実施形態に係る化粧品用塗布具の収納位置における縦断面図である。
【図２】図１の塗布具の塗布ヘッドの詳細図である。
【発明を実施するための形態】
【００１１】
異なる図において、同じ参照符号は同一または類似の要素を示す。
【００１２】
図１は、多少の粘性を有する液体化粧品、特にアイライナー用の塗布具１を示す。
【００１３】
この塗布具１は、化粧品３を収容するプラスチックまたは他の何らかの材料でできたリザーバ３を備える。液体状化粧品は、実際に液体であるか、粘性を有するか、クリーム状からペースト状までの、例えばマスカラ又はアイライナー調合物の多少の粘性を有することができる。
【００１４】
リザーバは、それ自体知られているように、例えば内部ワイパー５を備え得る首部４を含むことができる。
【００１５】
塗布具１は、可撓性の塗布ヘッド９（支持体７、８よりも可撓性がある）を支持するプラスチックまたは他の材料の支持体７、８を備えるアプリケイター６をさらに備えることができる。
【００１６】
支持体７、８は、使用者によって保持されるのに適した把持部材７と、首４およびワイパー５を貫通する直線状であるか直線状でないことができるロッド８とを含むことができる。把持部材７は、例えばねじ止めなどによって首部４を密封するのに適したキャップである可能性がある。
【００１７】
ロッド８は、３〜８ｍｍの幅を有することができる。例えば、ロッド８は、特に３〜８ｍｍの直径を有する円形断面を有する円筒形である。
【００１８】
支持体７、８がロッド８を備える場合、塗布ヘッド９は、ロッド８の自由端からロッド８の軸に沿って長手方向に延びることができる。塗布ヘッド９は、ロッド８と１８０度と異なる角度を成すこともできる。
【００１９】
塗布ヘッド９は、先細本体１０と塗布本体１１とを備える。
【００２０】
先細本体１０は、支持体７、８に固定された第１の端部から（例えばロッド８の自由端部まで）第２の端まで収束しながら第１の長さＬ１だけ（図示の例ではロッド８の長手方向軸に沿って）延びる。
【００２１】
先細本体１０は、ロッド８の自由端における幅Ｄ１から先細本体１０の自由端における幅Ｄ２まで収束する任意の所望の断面のものであり得る。それが円形の断面を有するとき、本体１０はロッド８の自由端の直径Ｄ１から先細本体１０の自由端の直径Ｄ２に収束することができる。比Ｄ１／Ｄ２は、例えば、３から４の間に含まれ得る。
【００２２】
塗布本体１１は、（図示の例ではロッド８の長手方向軸に沿って）先細本体１０の第２の端部から遠位端まで第２の長さＬ２だけ先細本体１０の第２の端部を延長する。
【００２３】
塗布本体１１は、先細本体１０の第２の端部から前記塗布本体の遠位端部まで均一な断面を有するのが有利である。塗布ヘッドは、塗布本体１１から延びる（例えば、塗布本体１１の遠位端から末端尾部の自由端へと収束する）と共におそらくは一様でない断面を有する末端尾部（図示せず）をさらに含むことができる。
【００２４】
第２の長さＬ２は第１の長さＬ１よりも大きい。有利には、第２の長さＬ２は第１の長さＬ１の１．２倍より大きくてもよい。第２の長さＬ２は、第１の長さＬ１の２．４倍未満であることができる。第１の長さＬ１は、例えば２〜８ｍｍの間、特に約５ｍｍであることができる。
【００２５】
塗布本体１１は、０．５ｍｍと５ｍｍとの間、有利には０．５ｍｍ〜１ｍｍの幅Ｄ２を有することができる。
【００２６】
前記塗布本体１１は任意の所望の断面を有することができる。特に、塗布本体１１は、０．５ｍｍと５ｍｍとの間、有利には０．５ｍｍと１ｍｍとの間に含まれる直径Ｄ２を有すると共に実質的に円形の断面を有することができる。塗布本体１１の断面は円形以外、例えば正方形、長方形、三角形などであってもよく、塗布本体１１は恐らくリブをさらに含んでもよい。一般に、塗布本体１１の断面は、０．５ｍｍ〜５ｍｍ、有利には０．５ｍｍ〜１ｍｍの外接直径Ｄ２（断面を含む最小の円の直径）を有することができる。
【００２７】
塗布ヘッド９は、場合によってはフロック加工された、可撓性の熱可塑性エラストマー材料で作ることができる。
【００２８】
特に、塗布ヘッド９は、ポリエチレン、ポリプロピレン、コーンポリアミド（ｃｏｒｎ  ｐｏｌｙａｍｉｄｅ）などの可撓性の熱可塑性材料、または熱可塑性ポリウレタン（ＴＰＵ）、シリコーン、ＥＰＤＭ（エチレンプロピレンジエンモノマー）、スチレン−ブタジエン（ＳＢＲ）、熱可塑性コポリエステルなどのエラストマータイプの熱可塑性材料で作ることができる。
【００２９】
塗布ヘッド９は、毛細管現象による化粧品の流れを容易にするために、繊維で覆われる（例えば、フロック加工）、および／または滑らかでない表面（例えば、粒状表面、または模様で切れ目が付けられた表面）を有することができる。
【符号の説明】
【００３０】
１  塗布具
３  化粧品
４  首部
５  内部ワイパー
６  アプリケイター
７  支持体
８  ロッド
９  塗布ヘッド
【図１】
2019524214.tif 000003
【図２】
2019524214.tif 000004
【国際調査報告】
2019524214.tif 000005
2019524214.tif 000006
2019524214.tif 000007
2019524214.tif 000008